(57)【要約】【課題】一つの調整部材でありながらその調整部材を構成する構成部品の組換えにより球体を弾き出す弾き片の弾き力を変えることができる視覚的にも優れ、保管などの取り扱い上の問題も解消することができる球体発射玩具を提供すること。【解決手段】球体を弾き出す弾き片１０の基部には後方に一対の突片１２を突出形成し、この突片１２の先端部に嵌合孔１３を形成し、この嵌合孔１３に嵌合軸を嵌め合わせることにより突片１２間の間隔を調整できる調整部材を第１の調整部材１５と、該第１の調整部材１５に連結される２つの第２の調整部材１６とで構成し、上記第１の調整部材１５と上記第２の調整部材１６とにはそれぞれ上記嵌合孔１３に嵌め込む嵌合軸１７、２６を形成し、上記第１の調整部材１５の嵌合軸１７同士の間隔と、第２の調整部材１６の嵌合軸２６同士の間隔とを異なるように設定した。【選択図】図１
2005152026.tif 000002
【特許請求の範囲】
【請求項１】
本体に１対の弾き片を設け、該弾き片間に球体を収容するとともに、弾き片の基部側から上記球体を強制的に押し出すことによって弾き片の先端をその弾発力に抗して拡開させ、弾性復元力により弾き片の先端から球体を弾き出させる、以下の要件を備えることを特徴とする球体発射玩具。
（イ）上記弾き片の基部は後方に突出して突片が形成され、該突片には弾き片の弾発力を調整する調整部材を着脱自在に設けたこと
（ロ）上記突片の先端部には嵌合孔が形成され、該嵌合孔に上記調整部材に形成された２つの嵌合軸を嵌め合わせることにより突片間の間隔を調整できること
（ハ）上記調整部材は第１の調整部材と、該第１の調整部材に連結される２つの第２の調整部材とから構成され、上記第１の調整部材には上記嵌合孔に嵌め込む２つの嵌合軸が所定間隔をおいて形成され、上記第２の調整部材にはそれぞれ上記嵌合孔に嵌め込む一つの嵌合軸が形成され、第２の調整部材を第１の調整部材で連結したときには第２の調整部材の嵌合軸同士の間隔は上記第１の調整部材の嵌合軸の間隔と異なるように設定されていること
【発明の詳細な説明】
【技術分野】
【０００１】
本発明は、球体発射玩具、詳しくは球体を弾き出す弾き力を変えることができる球体発射玩具に関するものである。
【背景技術】
【０００２】
従来、球体を発射させる弾き玩具として様々な玩具が提案されている（例えば、特許文献１）。
【０００３】
この球体発射玩具は玩具本体に１対の弾き片を設け、弾き片間にビー玉のような球体を挟むように供給した後、押出し部材によって弾き片の基部側から上記球体を強制的に押し出すことによって弾き片の先端をその弾発力に抗して拡開させ、さらに押し出すことによって弾き片の弾性復元力により弾き片の先端から球体を弾き出すことができるようにしたものである。
【特許文献１】特願平８−３３７７３号公報
【発明の開示】
【発明が解決しようとする課題】
【０００４】
本発明が解決しようとする問題点は、上述の球体発射玩具は弾き片の間隔が一定であるため、常に同じ弾き力で球体を発射することしかできない点であった。
【０００５】
本発明は、上記問題点を解決し、弾き片の間隔を調整して弾発力を変え、球体を発射する勢いを変えることができるとともに、一つの調整部材でありながらその調整部材を構成する構成部品の組換えにより球体を弾き出す弾き片の弾き力を変えることができる視覚的にも優れ、保管などの取り扱い上の問題も解消することができる球体発射玩具を提供することを課題とする。
【課題を解決するための手段】
【０００６】
前記課題を解決するために本発明に係る球体発射玩具は、本体に１対の弾き片を設け、該弾き片間に球体を収容するとともに、弾き片の基部側から上記球体を強制的に押し出すことによって弾き片の先端をその弾発力に抗して拡開させ、弾性復元力により弾き片の先端から球体を弾き出させる、以下の要件を備えることを特徴とする。
（イ）上記弾き片の基部には後方に一対の突片が突出形成され、該突片には弾き片の弾発力を調整する調整部材を着脱自在に設けたこと
（ロ）上記突片の先端部には嵌合孔が形成され、該嵌合孔に上記調整部材に形成された２つの嵌合軸を嵌め合わせることにより突片間の間隔を調整できること
（ハ）上記調整部材は第１の調整部材と、該第１の調整部材に連結される２つの第２の調整部材とから構成され、上記第１の調整部材には上記嵌合孔に嵌め込む２つの嵌合軸が所定間隔をおいて形成され、上記第２の調整部材にはそれぞれ上記嵌合孔に嵌め込む一つの嵌合軸が形成され、第２の調整部材を第１の調整部材で連結したときには第２の調整部材の嵌合軸同士の間隔は上記第１の調整部材の嵌合軸の間隔と異なるように設定されていること
【発明の効果】
【０００７】
本発明によれば、調整部材の組換えにより、弾き片の弾き力の調整を行なうことができるので、球体を弾き出す力を小さくして飛距離は短くなるが連続発射を容易にしたり、弾き出す力を大きくして飛距離距離を伸ばしたりすることができ遊びに応じて球体の弾き力を変えることができ、同じ発射玩具であっても遊びの巾を広げることができる。
【発明を実施するための最良の形態】
【０００８】
前記課題を解決するために本発明に係る球体発射玩具は、玩具本体に１対の弾き片を設け、該弾き片間に球体を収容するとともに、弾き片の基部側から上記球体を強制的に押し出すことによって弾き片の先端をその弾発力に抗して拡開させ、弾性復元力により弾き片の先端から球体を弾き出させる球体発射玩具であって、上記弾き片の基部には後方に一対の突片を突出形成し、この突片の先端部に嵌合孔を形成し、この嵌合孔に調整部材に形成された２つの嵌合軸を嵌め合わせることにより突片間の間隔を調整できるようにするとともに、上記調整部材を第１の調整部材と、該第１の調整部材に連結される２つの第２の調整部材とで構成し、上記第１の調整部材には上記嵌合孔に嵌め込む２つの嵌合軸が所定間隔をおいて形成し、上記第２の調整部材にはそれぞれ上記嵌合孔に嵌め込む一つの嵌合軸が形成するとともに、第２の調整部材を第１の調整部材で連結したときには第２の調整部材の嵌合軸同士の間隔は上記第１の調整部材の嵌合軸の間隔と異なるように設定した。
【実施例１】
【０００９】
図１（ａ）（ｂ）は、本発明に係る球体発射玩具の一例を示し、この球体発射玩具は玩具本体１がロボットを模して形成され、胴体部２の周囲には弾き部材３が取り付けられ、図１（ａ）に示すように、玩具本体１の後頭部に形成された開口部４から球体Ａを胴体内部に投入し、図１（ｂ）に示すように、胴体部２の後方に突出した押し出し部材５をスプリング６に抗して前方に押し出すことにより球体Ａが胴体部２の前面に形成された発射口７から発射できるようになっているもので、上記弾き部材３は、図２に示すように、１対の弾き片１０とこれらの弾き片１０の基部を連結する連結部１１とから略Ｕ字形に形成され、各弾き片１０の先端部１０ａは内方に膨突するように形成され、先端部１０ａ間の間隔は弾き出される球体Ａの直径よりも小さくなるように設定され、上記各弾き片１０の基部から後方に突片１２が突出形成され、各突片１２には垂直方向に嵌合孔１３が形成され、連結部１１の案内溝１１ａには押し出し部材５がスライド可能に配置され、スプリング６に抗して前方に押し出すとその先端５ａは弾き片１０間に収容された球体Ａの後面に当接し、弾き片１０を左右に拡開しながら押し出すようになっている。
【００１０】
上記一対の弾き片１０は突片１２の広がりを変えることにより、先端部１０ａ間の間隔が必然的に変わるようになっているもので、この突片１２の間隔は調整部材Ｂで調整することができるようになっている。
【００１１】
この調整部材Ｂは第１の調整部材１５と、この第１の調整部材１５で連結される２つの第２の調整部材１６とから構成されている。
【００１２】
第１の調整部材１５の底面には上記突片１２に形成された嵌合孔１３に嵌め合わせる嵌合軸１７が上記嵌合孔１３同士間の間隔よりも広く形成され、両側面には第１の調整部材１５と第２の調整部材１６とを一直線状に連結するために第２の調整部材１６の内側側面に形成された鍵穴状の嵌合孔１８に嵌め合わせる連結突部１９が形成されている。さらに、背面側には第１の調整部材１５の両端部に第２の調整部材１６を直交状態で連結するために、第２の調整部材１６に形成された嵌合軸２０を嵌め合わせる嵌合孔２１が形成されている（図４（ａ）参照）。
【００１３】
第２の調整部材１６は底面側が開口した中空の直方体で側面から羽根状の飾り部材２５が突出形成され、この開口面には上述の突片１２に形成された嵌合孔１３に嵌め合わせる嵌合軸２６と、上記第１の調整部材１５に形成された嵌合孔２１に嵌め合わせる嵌合軸２０とがそれぞれ形成されている。
【００１４】
上記第１の調整部材１５と上記第２の調整部材１６との連結は、図３（ａ）に示すように、第２の調整部材１６の側面に形成された鍵穴状の嵌合孔１８に第１の調整部材１５の両側面に形成された連結突部１９に嵌め込むことにより、図３（ｂ）に示すように、第1の調整部材１５と第２の調整部材とを一直線状に連結することができる。
【００１５】
この一直線状に連結された調整部材Ｂは、図２に示すように、嵌合軸１７を弾き部材３の突片１２に形成された嵌合孔１３に嵌め込めばよい。
【００１６】
嵌合軸１７同士の間隔は上記嵌合孔１３間の間隔よりも大きいので、図５（ａ）に示すように、嵌合軸１７を嵌合孔１３に嵌め込むことにより突片１２は外側（矢印ａ方向）に押し広げられ突片１２は外開き状態になることにより、逆に弾き片１０の先端は内向き方向（矢印ｂ方向）に付勢され、弾き片１０間は調整部材１０の装着前に比べて拡開しにくい状態となる。このため、押出し部材１２の押出しによる弾き片１０の拡開後の弾性復元力も大きくなる。したがって、押し出し部材５を押す力を大きくする必要があるが球体Ａを弾き出す弾発力は調整部材Ｂを取付ける前に比べてより強くなり、飛距離も大きくすることができる。
【００１７】
一方、上記第１の調整部材１５と上記第２の調整部材１６との連結を、図４（ａ）に示すように、第２の調整部材１６の側面に形成された切り欠き部２２に第１の調整部材１５を裏返した状態で差し込みながら第１の調整部材１５の底面に形成された嵌合孔２１に第２の調整部材１６の嵌合軸２０を嵌め込むことにより、図４（ｂ）に示すように、第１の調整部材１５に対し、第２の調整部材１６直交させコ字状に連結することができる。
【００１８】
このコ字状に連結された調整部材Ｂ’は、図２に示すように、嵌合軸２６を弾き部材３の突片１２に形成された嵌合孔１３に嵌め込めばよい。
【００１９】
嵌合軸２６同士の間隔は上記嵌合孔１３間の間隔よりも狭いので、図５（ｂ）に示すように、嵌合軸２６を嵌合孔１３に嵌め込むことにより突片１２は内側（矢印ｃ方向）に狭められ先窄まり状態になることにより、逆に弾き片１０の先端は外向き方向（矢印ｄ方向）に付勢され、弾き片１０間は調整部材１０の装着前に比べて拡開しやすい状態となる。このため、押出し部材１２の押出しによる弾き片１０の拡開後の弾性復元力も小さくなる。したがって、球体Ａを弾き出す弾発力は調整部材Ｂ’を取付ける前に比べてより弱くなり、飛距離は小さくなるが押し出し部材５を押す力は小さくて済むので連続して球体を発射させやすくなる。
【００２０】
上述のように、弾き部材に調整部材を装着した場合には、その調整部材の連結形態によって嵌合孔１３に嵌め込む嵌合軸同士の間隔が変わるので、調整部材Ｂを弾き部材３に取付けることにより弾き片の先端間の距離を変えることができ、その結果球体の飛距離を調節することができるから、発射する球体の数は少なくなるが飛距離を延ばすことができる場合と、発射する球体の数を増やすことはできるが飛距離が短くなる場合を、１つの調整部材の組換えにより選択することができ、飛距離によって別の調整部材を選ぶ場合に比べ使わない調整部材の保管や紛失などの煩わしい問題が発生することのない球体発射玩具を実現することができる。
【図面の簡単な説明】
【００２１】
【図１】（ａ）（ｂ）は本発明に係る球体発射玩具の使用状態を説明する背面側斜視図及び側面図
【図２】弾き部材と調整部材との関係を説明する斜視図
【図３】（ａ）（ｂ）は上記調整部材の組合せの一例を説明する斜視図
【図４】（ａ）（ｂ）は上記調整部材の組合せの他の例を説明する斜視図
【図５】（ａ）（ｂ）は調整部材と弾き部材との関係をの説明図
【符号の説明】
【００２２】
１    玩具本体
２    胴体部
３    弾き部材
１０    弾き片
Ａ    球体
Ｂ    調整部材
【図１】
2005152026.tif 000003
【図２】
2005152026.tif 000004
【図３】
2005152026.tif 000005
【図４】
2005152026.tif 000006
【図５】
2005152026.tif 000007